(57)【特許請求の範囲】
【請求項１】
赤外線による通信を行うための通信手段を有し、この通信手段から得られる信号に従って動作する少なくとも一つの照明器具と、各種操作入力用の操作入力手段、赤外線による通信を行うための負荷側通信手段および電波による通信を行うメイン側通信手段を有し、前記操作入力手段または前記メイン側通信手段から得られる信号を、前記負荷側通信手段を通じて前記照明器具の通信手段に送信するためのリモコンと、赤外線又は電波による通信を行うための下位側通信手段および上位側通信手段を有し、少なくとも前記上位側通信手段から得られる信号を、前記下位側通信手段を通じて赤外線により前記照明器具の通信手段に送信するかまたは電波によりリモコンの前記メイン側通信手段に送信するメインコントローラと、通信を行うためのローカル側通信手段およびリモート側通信手段を有し、外部の通信端末から得られ前記リモート側通信手段から得られた信号を、前記ローカル側通信手段を通じて、前記上位側通信手段、前記メイン側通信手段または前記照明器具の通信手段に送信するゲートウエイサーバとを備え、前記リモコンは、自己の負荷側通信手段を通じて赤外線により前記照明器具を制御するとともに、自己のメイン側通信手段を通じてその照明器具の動作情報を電波により前記メインコントローラに送信し、前記メインコントローラは、自己の下位側通信手段で前記動作情報を受信すると、これを自己の上位側通信手段経由で前記ゲートウエイサーバに送信し、前記ゲートウエイサーバは、自己のローカル側通信手段で前記動作情報を受信すると、これを所定の形式に加工した上で自己のリモート側通信手段から外部通信回線経由で外部の通信端末に送信する照明システムであって、前記照明器具および前記リモコンの各々は、センサを有し、このセンサから得られる検知情報または動作情報を自己の通信手段経由で前記メインコントローラに送信し、前記メインコントローラは、自己の下位側通信手段で前記検知情報または動作情報を受信すると、これを自己の上位側通信手段経由で前記ゲートウエイサーバに送信し、前記ゲートウエイサーバは、自己のローカル側通信手段で前記検知情報または動作情報を受信すると、この検知情報または動作情報から得られる、前記照明器具の設置領域内への人の侵入検知情報または前記照明器具の設置領域内での人の生活行動パターン情報を、自己のリモート側通信手段から外部通信回線経由で外部の通信端末に送信することを特徴とする照明システム。
【請求項２】
前記リモコンは、センサから得られる検知情報を基に前記照明器具に制御信号を自己の負荷側通信手段経由で送信することにより前記照明器具の制御を行うとともに、前記検知情報を自己のメイン側通信手段経由で前記メインコントローラに送信し、前記メインコントローラは、自己の下位側通信手段で前記検知情報を受信すると、これを自己の上位側通信手段経由で前記ゲートウエイサーバに送信し、前記ゲートウエイサーバは、自己のローカル側通信手段で前記検知情報を受信すると、これを所定の形式に加工した上で自己のリモート側通信手段から外部通信回線経由で外部の通信端末に送信することを特徴とする請求項１記載の照明システム。
【請求項３】
前記ゲートウエイサーバは、前記検知情報または動作情報を蓄積して記憶する記憶手段を有し、この記憶手段に前記検知情報または動作情報を蓄積して記憶する時間の間隔を監視し、その間隔が一定時間以上開けば、その旨を自己のリモート側通信手段から外部通信回線経由で外部の通信端末に送信することを特徴とする請求項１記載の照明システム。
【請求項４】
前記ゲートウエイサーバは、前記検知情報または動作情報を蓄積して記憶する記憶手段を有し、この記憶手段に前記検知情報または動作情報を蓄積して記憶する回数を監視し、一定時間内のその回数が所定数を超えた場合、その旨を自己のリモート側通信手段から外部通信回線経由で外部の通信端末に送信することを特徴とする請求項１記載の照明システム。
【発明の詳細な説明】
【０００１】
【発明の属する技術分野】
本発明は、一般住宅などにおいて離れて設置されている各照明器具を、一か所でそれぞれの点灯状態、動作モード等を制御するように構成された照明システムに関するものである。
【０００２】
【従来の技術】
家庭等において照明器具の点灯、消灯等の操作を行なう場合、通常壁に設置してあるスイッチを操作するか、照明器具についているスイッチによって操作を行なう。そのため、操作を行なう場合、人が壁スイッチまたは照明器具に近づいて操作する必要があるので、決して利便性のよいものではない。
【０００３】
利便性を良くする手段として、赤外線リモコンを用いて照明器具を操作する方法がある。この方法によれば、利用者が例えば座ったまま照明器具を操作できる利点があり、世間一般に普及している。
【０００４】
利便性を良くする他の手段として、明るさまたは人を検知する各種センサを照明器具に内蔵する方法がある。例えば、明るさを検知する照度センサを内蔵する場合には、周囲の明るさを照度センサで検知し、周囲が暗くなれば照明器具を自動的に点灯させる一方、周囲が明るくなれば照明器具を自動的に消灯させるように構成される。また、人を検知する人感センサを内蔵する場合には、検知エリア内における人の居否を人感センサで検知し、人が居れば照明器具を自動的に点灯させる一方、人が居なければ例えば所定時間経過後に照明器具を自動的に消灯させるように構成される。また、これらを組み合わせ、周囲が暗いときに人が居れば照明器具を点灯させるように構成される場合もある。このように、照明器具を自動的に点灯または消灯する構成によれば、スイッチ操作が不要になるだけでなく、照明器具の消し忘れによる消費電力の無駄を無くし、省エネにもなる。
【０００５】
しかしながら、赤外線リモコンを用いる方法では、赤外線の性質上、別の部屋等から壁越しに操作することができず、センサを照明器具に内蔵する方法では、センサを内蔵した照明器具だけが個別に照明器具を自動的に点灯または消灯することになる。また、赤外線リモコンを用いる照明器具およびセンサを内蔵する照明器具が複数設けられている家庭において、例えば外出時など、各照明器具の点灯状態または動作モードを変更する場合、各照明器具ごとにその変更のための操作をする必要があるので、照明器具の台数が増えると作業も勢い煩雑になって大変である。
【０００６】
各照明器具の電源を一括して操作することができるように、操作スイッチ類を住宅の一か所に集中させることは可能であるが、この場合、全ての配線を一か所に集中させるために専用の工事が必要になるため、新築の場合は可能であるが既設の住宅の場合は大規模な工事が強いられるので現実的でない。
【０００７】
これらの欠点を解決する手段として、電波による無線通信で機器を一括して制御するコントローラを用いる方法がある。しかしながら、この方法では、コントローラおよび照明器具ともに新たな専用物を必要とし、赤外線による無線通信とは異なり、見通し外の範囲にも電波が伝搬するので、外部に伝搬する電波が他に悪影響を与えないように、識別符号（ＩＤ）を無線機に割り当てるなどの混信防止対策が必要となる。特に、複数の機器に無線通信を行う場合、それら複数の機器に割り当てられた複数の識別符号を無線信号に含める必要があり、低速な無線通信においては、信号のパケット長が長くなってその伝送時間も長くなるため、例えば人感センサの信号を複数の照明器具に送信する場合などでは、人が検知エリア内に来れば直ぐに照明器具が点灯しなければならないところ、照明器具の点灯の反応が遅くなり、人が検知エリア内に入ってからしばらく経たないと、照明器具が点灯しないといった不具合が生じる可能性もある。
【０００８】
また、このようなシステムは、住宅内で操作されるものであり、一度外出すると住宅内の動作状況を確認するには、自宅に戻るか、隣人に頼んで照明器具が点灯しているかどうかを確認してもらうしか方法がない。
【０００９】
この問題を解決し得る手段として、電話回線等を用いて住宅内の機器を遠隔操作する方法がある（例えば特許２６９６２２９号）。
【００１０】
しかし、機器を遠隔操作する方法では、電話のダイアル信号等を利用するため、その操作できる手段に限りがあり、また複雑な操作をしようとすると専用のコマンドリスト等を用意して操作しなければならず、決して使い勝手のよいものではない。また、従来例においては照明器具との接続方法等は開示されておらず、容易に展開できるものではない。
【００１１】
一方、近年関心が高まっている防犯や老人等の安否確認を特別に安否確認用の機器を用いることなく、住宅内に設置してある機器を活用し、その利用情報を解析することにより安否情報として利用し、それを外部から確認することができるシステムを住宅においても実施している例がある（例えば、特許３１９３３６３号）。このようなシステムは住宅内の機器の動作を記録するもので、そこに居住する人が必ずしもその機器を日々操作するとは限らないため、実際は人が元気に生活しているにもかかわらず、異常状態と判定してしまうこともある。さらに従来例では外部のものが自分で安否情報を問い合わせて引き出す必要があり、その操作を忘れていると異常であるにもかかわらず気づかずに経過してしまう可能性もある。
【００１２】
【発明が解決しようとする課題】
本発明は上記欠点を解決するためになされたものであり、大がかりな電気工事等を行なうことなく、住宅等の照明器具の動作状態を一か所で制御でき、照明器具間の制御を簡単かつ円滑に行なえ、また外部から住宅内の照明器具の操作や動作状況の確認、防犯や居住者の安否確認を行なうことができる照明システムを提供することである。
【００１３】
【課題を解決するための手段】
上記課題を解決するための請求項１記載の発明の照明システムは、赤外線による通信を行うための通信手段を有し、この通信手段から得られる信号に従って動作する少なくとも一つの照明器具と、各種操作入力用の操作入力手段、赤外線による通信を行うための負荷側通信手段および電波による通信を行うメイン側通信手段を有し、前記操作入力手段または前記メイン側通信手段から得られる信号を、前記負荷側通信手段を通じて前記照明器具の通信手段に送信するためのリモコンと、赤外線又は電波による通信を行うための下位側通信手段および上位側通信手段を有し、少なくとも前記上位側通信手段から得られる信号を、前記下位側通信手段を通じて赤外線により前記照明器具の通信手段に送信するかまたは電波によりリモコンの前記メイン側通信手段に送信するメインコントローラと、通信を行うためのローカル側通信手段およびリモート側通信手段を有し、外部の通信端末から得られ前記リモート側通信手段から得られた信号を、前記ローカル側通信手段を通じて、前記上位側通信手段、前記メイン側通信手段または前記照明器具の通信手段に送信するゲートウエイサーバとを備え、前記リモコンは、自己の負荷側通信手段を通じて赤外線により前記照明器具を制御するとともに、自己のメイン側通信手段を通じてその照明器具の動作情報を電波により前記メインコントローラに送信し、前記メインコントローラは、自己の下位側通信手段で前記動作情報を受信すると、これを自己の上位側通信手段経由で前記ゲートウエイサーバに送信し、前記ゲートウエイサーバは、自己のローカル側通信手段で前記動作情報を受信すると、これを所定の形式に加工した上で自己のリモート側通信手段から外部通信回線経由で外部の通信端末に送信する照明システムであって、前記照明器具および前記リモコンの各々は、センサを有し、このセンサから得られる検知情報または動作情報を自己の通信手段経由で前記メインコントローラに送信し、前記メインコントローラは、自己の下位側通信手段で前記検知情報または動作情報を受信すると、これを自己の上位側通信手段経由で前記ゲートウエイサーバに送信し、前記ゲートウエイサーバは、自己のローカル側通信手段で前記検知情報または動作情報を受信すると、この検知情報または動作情報から得られる、前記照明器具の設置領域内への人の侵入検知情報または前記照明器具の設置領域内での人の生活行動パターン情報を、自己のリモート側通信手段から外部通信回線経由で外部の通信端末に送信することを特徴とする。
【００１４】
請求項２記載の発明は、請求項１記載の照明システムにおいて、前記リモコンは、センサから得られる検知情報を基に前記照明器具に制御信号を自己の負荷側通信手段経由で送信することにより前記照明器具の制御を行うとともに、前記検知情報を自己のメイン側通信手段経由で前記メインコントローラに送信し、前記メインコントローラは、自己の下位側通信手段で前記検知情報を受信すると、これを自己の上位側通信手段経由で前記ゲートウエイサーバに送信し、前記ゲートウエイサーバは、自己のローカル側通信手段で前記検知情報を受信すると、これを所定の形式に加工した上で自己のリモート側通信手段から外部通信回線経由で外部の通信端末に送信することを特徴とする。
【００１５】
請求項３記載の発明は、請求項１記載の照明システムにおいて、前記ゲートウエイサーバは、前記検知情報または動作情報を蓄積して記憶する記憶手段を有し、この記憶手段に前記検知情報または動作情報を蓄積して記憶する時間の間隔を監視し、その間隔が一定時間以上開けば、その旨を自己のリモート側通信手段から外部通信回線経由で外部の通信端末に送信することを特徴とする。
【００１６】
請求項４記載の発明は、請求項１記載の照明システムにおいて、前記ゲートウエイサーバは、前記検知情報または動作情報を蓄積して記憶する記憶手段を有し、この記憶手段に前記検知情報または動作情報を蓄積して記憶する回数を監視し、一定時間内のその回数が所定数を超えた場合、その旨を自己のリモート側通信手段から外部通信回線経由で外部の通信端末に送信することを特徴とする。
【００１７】
ここで、本発明では、各照明器具の点灯状態や動作モードを一か所で制御できるゲートウエイサーバを用いて、動作状態の設定などを行なう。各照明器具との通信は、ゲートウエイサーバに接続されたメインコントローラを用いて他の照明器具との通信を可能にする。メインコントローラと壁越しの部屋等離れた場所の通信に、無線を用いることにより、見通し外のエリアにも通信可能と制御可能となる。
【００１８】
赤外線リモコン用の照明器具を制御できるようメインコントローラの無線信号を受信し、それを赤外線リモコン信号に変換して送受信できるリモコンを使用することにより、従来から設置されている照明器具も制御可能となる。
【００１９】
ゲートウエイサーバを外部通信回線に接続することにより、家の中の状況を通信端末からモニタすることや、家の照明器具の動作状態の変更（点灯／消灯等）を行なうことができる。通信端末に対しメール等を用いることにより、簡単な手段で外部からリモート操作することができる。ゲートウエイサーバにおいてリモコン、照明器具に内蔵されたセンサの情報を蓄積、解析することにより、住宅内の防犯の確認や居住者の安否確認を行ない、その情報を家の外にいる人に自動的に通報することができるようになる。
【００２０】
【発明の実施の形態】
本発明の実施形態を説明する前に、本発明の実施形態と基本構成が共通である参考例に居て説明する。
【００２１】
（第１参考例）
図１は第１参考例の照明システムの構成図、図２は同照明システムにおける照明器具の構成図、図３は同照明システムにおけるリモコンの構成図、図４は同照明システムにおけるメインコントローラの構成図、図５は同照明システムにおけるゲートウエイサーバの構成図、図６は同照明システム全体の通信系統図、図７は同照明システムの動作説明図である。
【００２２】
第１参考例の照明システムは、図１に示すように、照明器具１と、リモコン２と、メインコントローラ３と、ゲートウエイサーバ４とを備え、インターネットなどの外部通信回線Ｎを介して、例えば電子メールなどで通信を行うためのインターネット接続機能を持つ携帯電話などの端末５と双方向通信が可能となっている。
【００２３】
照明器具１は、図２に示すように、例えば赤外線信号などの無線で通信を行うための通信部１０と、各種設定を行なうための操作部１１と、例えば生活者の在否や周囲の明るさを検知するセンサ部１２と、例えば蛍光灯などの光源部１３とを備えているほか、制御部１４を備えている。この制御部１４は、ＣＰＵおよびメモリなどにより構成され、照明器具１全般の制御などの処理を実行するものであり、例えば、通信部１０またはセンサ部１２から得られる信号に従って光源部１３の動作を制御する。
【００２４】
リモコン２は、図３に示すように、照明器具１と例えば赤外線信号などの無線で通信を行うための通信部２０と、メインコントローラ３と例えば電波などの無線で通信を行うための通信部２１と、各種設定などを行なうための操作部２２と、例えば生活者の在否や周囲の明るさを検知するセンサ部２３とを備えているほか、制御部２４を備えている。この制御部２４は、ＣＰＵおよびメモリなどにより構成され、リモコン２全般の制御などの処理を実行するものであり、例えば、操作部２２または通信部２１から得られる信号を、通信部２０を介して照明器具１の通信部１０に送信する処理を行う。
【００２５】
メインコントローラ３は、図４に示すように、下位側の照明器具１と例えば赤外線信号などの無線で通信を行うための通信部３０と、下位側のリモコン２と例えば電波などの無線で通信を行うための通信部３１と、上位側のゲートウエイサーバと例えばＲＳ−２３２Ｃのシリアル信号で通信を行うための通信部３２と、各種設定などを行なうための操作部３３とを備えているほか、制御部３４を備えている。この制御部３４は、ＣＰＵおよびメモリなどにより構成され、メインコントローラ３全般の制御などの処理を実行するものであり、例えば、操作部３３および通信部３２から得られる信号を、通信部３０および通信部３１を通じてそれぞれ照明器具１の通信部１０およびリモコン２の通信部２１に送信する処理を行う。
【００２６】
ゲートウエイサーバ４は、例えばパソコンにより構成され、ローカル側のメインコントローラ３と例えばＲＳ−２３２Ｃのシリアル信号で通信を行うための通信部４０と、リモート側の端末５と例えば電話線などによって外部通信回線Ｎを介して通信を行うための通信部４１と、各種設定などを行なうための操作部４２と、ローカル側から返信されるデータや操作上のエラー内容などを処理し、その結果を格納して記憶するためのデータ処理部４３およびデータ・プログラム格納部４４とを備えているほか、制御部４５を備えている。この制御部４５は、パソコンの中枢部（ＣＰＵおよびメモリなど）により構成され、本照明システム全般の制御などの処理を実行するものであり、例えば、外部の端末５から得られ通信部４１から得られた信号を、通信部４０を通じてメインコントローラ３の通信部３３に送信する制御を行う。
【００２７】
図１において、照明システムは一般的な住宅に設置されている。メインコントローラ３と電波で通信を行うリモコン２は２階の各部屋用に２台用意され、一方の第１のリモコン２は、照明器具１が２台設置されている例えばリビングルームなどで使用され、それら２台の照明器具１を赤外線信号による通信で制御する一方、他方の第２のリモコン２は、照明器具１が１台設置されている例えば内玄関などで使用され、その１台の照明器具１を赤外線信号による通信で制御するレイアウトになっている。なお、１階の照明器具１は、メインコントローラ３により制御される。
【００２８】
ここで、第２のリモコン２は、内玄関に生活者が入って来ると、自己のセンサ部２３でそれを検知して、対応する照明器具１を点灯させるための制御信号を自己の通信部２０から送信する。これにより、対応する照明器具１が点灯する。そして、生活者が第１のリモコン２のある部屋に入ると、第１のリモコン２のセンサ部２３がそれを検知して、対応する２台の照明器具１を点灯させるための制御信号を自己の通信部２０から送信する。これにより、対応する２台の照明器具１が点灯する。この場合、従来のセンサ付き照明器具と同様に、省エネ・高利便性といった効果が得られる。
【００２９】
次に第１参考例の特徴となる動作について説明する。上記住宅の生活者が外出するときに宅内に誰もいなくなる場合、その最終の生活者がメインコントローラ３またはゲートウエイサーバ４の操作部で例えば「防犯モード」を指示入力したとすると、メインコントローラ３またはゲートウエイサーバ４は、指示入力後すぐにまたは一定時間経過後に照明システム全体を防犯モードに切り替える。この防犯モードでは、各リモコン２のセンサ部２３が人を検知すると通信都２０から赤外線信号によって照明器具１に「防犯点灯」の指示信号を出力（発報）すると同時に、通信都２１から電波信号によってメインコントローラ３にセンサ部２３で発生した検知情報を送信する（図６参照）。電波信号は一般住宅の壁などを透過して通信できるので、リモコン２とメインコントローラ３が同じ部屋になくても通信が可能となる。
【００３０】
メインコントローラ３は、通信部３１で検知情報を受信すると、これを送信してきたリモコン２以外のリモコン２にも検知情報を通信部３１から送信する。他のリモコン２は、それを受信すると、通信部２０から赤外線信号により照明器具１に「防犯点灯」の指示信号を出力する。
【００３１】
メインコントローラ３は、上記動作と同時に、通信部３２からゲートウエイサーバ４に検知情報を出力する。
【００３２】
ゲートウエイサーバ４は、その検知情報を通信部４０で受信すると、検知情報が発生したリモコンのアドレスと発生時刻などと、異常発生を知らせる電子メールを生成して、予めゲートウエイサーバ４に設定されている送信アドレスの端末（外出した生活者が持ち歩いている端末など）に送信する。これにより、外出先の生活者に、住宅内への人の侵入発生を知らせることができる。
【００３３】
例えば図１において、生活者が外出する時にゲートウエイサーバ４から操作入力して、照明システム全体を「防犯モ一ド」に設定すると、例えば１分程度の所定時間後に照明システムが防犯モードに移行する。これにより、設定時点から１分以内であれば、生活者が内玄関のリモコン２のセンサ部２３で検知されても、発報がなされることがなく、普段通りに外出できる。
【００３４】
この後、所定時間が経過すると、照明システム全体が防犯モードに移行する。ここで、図７に示すように、例えばピッキング犯などの空き巣狙いが玄関のドアを不法に解錠して住宅内に侵入したとすると、まず内玄関に設置されているリモコン２のセンサ部２３が侵入者を検知し、検知信号を通信部２１から電波信号によりメインコントローラ３に出力する。メインコントローラ３は通信部３１で検知情報を受信すると、以下の３つの処理を即時実行する。
【００３５】
・同じ通信部３１からリモコン２ヘに検知情報を電波信号で送信・通信部３２からゲートウエイサーバ４に検知情報をＲＳ−２３２Ｃのシリアル信号で送信・通信部３０から照明器具１に赤外線信号で防犯点灯指示を送信これと同時に、メインコントローラ３から電波信号でリモコン２の検知情報を受信した他の第１のリモコン２は、通信部２０から赤外線信号により２台の照明器具１に防犯点灯指示の信号を送信する。そして、その２台の照明器具１は、通信部１０でリモコン２から送信された防犯点灯指示を受信し、その指示に従い、例えばフラッシュ点滅動作を開始する。
【００３６】
ここで、メインコントローラ３からリモコン２のセンサ部２３の検知情報を通信部４０で受信したゲートウエイサーバ４は、例えば図８に示すように、・リモコン２のセンサ部２３が検知情報を発生したこと・その検知情報が発生した年月日と時刻・対処動作（この場合、防犯点灯させたこと）を書き込んだ通報電子メールを生成し、これをゲートウエイサーバ４に予め設定してある端末５のアドレスに送信するとともに、検知情報をデータ・プログラム格納部４４に記憶する。
【００３７】
これにより、通報電子メールを端末５で受信すると、端末５で警察や警備会社にその旨を通報することができる。さらには図８のように端末５で照明システムに対して、効果的な防犯動作の指示（例えば照明システムに接続された音響機器などから警報音を出力する指示）を電子メール（コマンドメール）に書き込んで自宅の照明システムのゲートウエイサーバ４のアドレス宛に送信することで、さらなる防犯効果を得ることも可能である。
【００３８】
このように、従来の照明システムとしての省エネや利便性などの機能を待つつ、簡易ホームセキュリティシステムとして、従来の照明器具や照明システムにはなかった効果が得られる。
【００３９】
以上、第１参考例によれば、従来困難であった大規模な工事を行なうことなく、住宅内の照明器具をゲートウエイサーバ、メインコントローラを用い、無線を用いることにより、壁越しの部屋等離れた場所も通信可能と制御可能となるようにし、さらにメインコントローラの無線信号を受信し、それを既設の赤外線リモコン信号に変換して送受信できるリモコンを使用することにより、従来から設置されている照明器具を同時に制御することができる。
【００４０】
なお、第１参考例では、ゲートウエイサーバは、インターネットに接続可能なパソコンを例示したが、これに限定されるものではなく、双方向通信可能なデジタルテレビ、セットトップボックス、専用ホームサーバ、電話機、ファクシミリ、無線機など住宅内の照明システムと外部の通信機器とを接続できるものであれば、これらに同様の機能を付加することにより、同様の効果を得ることができる。
【００４１】
また、端末やゲートウエイサーバが接続される外部通信回線はインターネットに限らず、公衆電話回線、イントラネット、商業無線網、衛星通信網、ＣＡＴＶでもよい。
【００４２】
また、ゲートウエイサーバと端末間での情報や指示の通信媒体は、電子メールなどの文字情報に限らず、電話のトーン信号、音声信号、モールス信号、汎用的なパケットデータ、電報などでもよい。
【００４３】
また、端末は、携帯電話に限定されず、ポケベル、パソコン、ＰＤＡ、固定電話、専用無線機などでも構わない。
【００４４】
また、ゲートウエイサーバとメインコントローラ間の通信はＲＳ−２３２Ｃに限定されず、ＵＳＢや専用信号線、電話線、イーサネット（Ｒ）、宅内ＬＡＮ、電波などの無線、ＩｒＤＡなどの赤外線信号、電灯線などの電力線搬送信号などでも構わない。
【００４５】
また、メインコントローラとリモコンの間の通信も小電力無線に限定されず、微弱電波や専用信号線、電話線、イーサネット（Ｒ）、宅内ＬＡＮ，電波などの無線、ＩｒＤＡなどの赤外線信号、電灯線などの電力線搬送信号などでも構わない。
【００４６】
また、リモコン２のセンサ部２３が検知情報を発生した時、リモコン２はメインコントローラ３だけに検知情報を送信するのではなく、直接、リモコン２にも送信するようにしてもよく、あらかじめ設定されているアドレスのリモコンにのみ検知情報を送信するようにしてもよい。
【００４７】
また、センサ部は熱線センサのみならず、ＣＣＤカメラなどの撮像系センサなどでも構わない。
【００４８】
また、第１のリモコン２は、２台の照明器具２の両方の検知情報を送信するのではなく、あらかじあ設定されているアドレスの照明器具のみに検知情報を送信するようにしても構わない。
【００４９】
また、リモコン２のセンサ部２３が検知情報を発生して、リモコン２がメインコントローラ３に検知情報を送信した場合、メインコントローラ３は通信部３１でリモコン２ヘ、そして通信部３０で照明器具１ヘ検知情報を転送しなくても構わない。
【００５０】
また、照明器具において防犯点灯とは光源部１３のフラッシュ点灯だけでなく、単なる連続点灯や、高輝度点灯、別光源の点灯、光色の切替え、音声や音響の出力などでも構わない。
【００５１】
また、第１参考例では、リモコン２に搭載されたセンサ部２３の検知情報のみを送信していたが、この検知情報だけでなく、例えば照明器具の動作情報（点灯、消灯、調光など）を送信することにより照明システムが動作しても（照明器具の動作を電子メールなどで通報しても）構わない。
【００５２】
また、第１参考例では、ゲートウエイサーバ４での操作部４２からの設定入力により、照明システムを「防犯モード」に移行させたが、メインコントローラ３の操作部３２や、外部通信回線Ｎに接続される端末５からのリモート指示でもよく、タイマ等のスケジュール制御による自動設定でも構わない。
【００５３】
（第２参考例）
本発明に係る第２参考例の照明システムの構成は、基本的に第１参考例と同様であり、相違点として、第２参考例のリモコン２のセンサ部２３は、例えばＣＣＤカメラなどの撮像センサにより構成される。
【００５４】
第２参考例では、第１参考例でのセンサ部の検知情報の代わりに画像データによる検知情報が出力され、第１参考例と同じしくみで従来の照明システムとしての機能が得られる。
【００５５】
第２参考例の特徴となる住宅モニタ（防犯システム）としての動作を説明する。住宅の生活者が外出するときに宅内に誰もいなくなる場合、その最終の生活者がメインコントローラ３またはゲートウエイサーバ４の操作部で例えば「防犯モード」を指示入力したとすると、メインコントローラ３またはゲートウエイサーバ４は、指示入力後すぐにまたは一定時間経過後に照明システム全体を防犯モードに切り替える。この防犯モードでは、図９に示すように各リモコン２のセンサ部２３が人を検知すると通信部２０から赤外線信号によって照明器具１に「防犯点灯」の指示信号を出力（発報）すると同時に、通信部２１から電波信号によってメインコントローラ３にセンサ部２３で発生した検知情報を送信する。電波信号は一般住宅の壁などを透過して通信できるので、リモコン２とメインコントローラ３が同じ空間に設定されてなくても通信が可能となる。
【００５６】
メインコントローラ３は通信部３１で検知情報を受信すると、これを通信部３２からゲートウエイサーバ４に出力する。
【００５７】
ゲートウエイサーバ４は検知情報を通信部４０で受信すると、検知情報（画像データ）と、その検知情報が発生したリモコンのアドレスと発生時刻など異常発生を知らせる。例えば電子メールと添付データを生成して、予めゲートウエイサーバ４に設定されている送信アドレスの端末５（外出した生活者が持ち歩いている端末など）に送信することで、外出先の生活者に、住宅内への人の侵入発生を知らせることができる。
【００５８】
異常報知メールとその添付データを端末５で受信した後、例えば画像データを見ることにより、検知した人物が明らかに見知らぬ不法侵入者であることを確認できれば、例えば端末５で照明システムに対して、さらに効果の高い防犯動作の指示（例えばシステムに接続された音響機器などから警報音を出力する指示）を電子メール（コマンドメール）に書き込んで自宅の照明システムのゲートウエイサーバ４のアドレス宛に送信する。
【００５９】
ゲートウエイサーバ４は、防犯動作の指示を含む電子メールを通信部４１で受信すると、通信部４０からメインコントローラ３ヘ防犯動作指示情報を送信し、メインコントローラ３は、通信部３２で防犯動作指示情報を受信すれば、通信部３１より、あらかじめ設定ないし防犯動作指示で指定されたリモコン、または全リモコンに防犯動作指示情報を送信する。各リモコン２は通信部２１で防犯動作指示情報を受信すると、通信部２０から各照明器具１へ防犯動作指示を送信する。このように検知情報を遠隔地で一旦確認してから、全照明器具１に防犯動作の指示を行なうことで、不必要な誤報を防いで確実に防犯動作を行なえる。
【００６０】
また、従来の住宅用照明器具や照明システムとしての省エネや利便性などの機能を得つつ、簡易ホームセキュリティシステムとして、検知情報を遠隔で確認した上で、遠隔操作により防犯動作をさせることにより、誤報を発生することなく確実に防犯動作をさせるという、従来の照明器具や照明システムにはなかった効果が得られる。
【００６１】
（第１実施形態）
本発明に係る第１実施形態の照明システムの基本的な構成は、リモコン２の台数が異なる以外は第１参考例と同様である。
【００６２】
すなわち、第１実施形態の照明システムは、図１０に示すように、一般的な住宅に設置されており、メインコントローラ３と第１〜第３のリモコン２が電波信号で通信を行い、第２のリモコン２は例えば内玄関に設置され、内玄関に設置された照明器具１と赤外線信号で通信を行なう。第１のリモコン２は、例えばダイニング・キッチンに設置され、ダイニング・キッチンに設置された２台の照明器具１と例えば赤外線信号で通信を行う。第３のリモコン２は、例えばトイレに設置され、そのトイレに設置された照明器具１と例えば赤外線信号で通信を行う。
【００６３】
住宅で生活者が普通に生活しており、例えば第２のリモコン２が設置された内玄関に生活者が入って来た場合、第２のリモコン２のセンサ部２３が生活者を検知して通信部２０から赤外線信号を照明器具１へ送信して点灯させる。生活者が内玄関から第１のリモコン２が設置されたダイニング・キッチンヘと移動していくと、第１のリモコン２のセンサ部２３が生活者を検知して第１のリモコン２の通信部２０から赤外線信号による検知情報を２台の照明器具１へ送信する。これらの照明器具１は通信部１０で検知情報を受信して光源部１３を点灯させる。
【００６４】
トイレ内に入った時は、そこに設置された第３のリモコン２のセンサ部２３が生活者を検知し、第３のリモコン２の通信部２０から赤外線信号により検知情報を照明器具１へ送信する。この照明器具１は、通信部１０で検知情報を受信して光源部１３を点灯させる。このようにして、照明システムは従来のセンサ付き照明器具としての省エネ・高利便性という通常の使い方ができる。
【００６５】
照明システムでは、住宅内にいる生活者が住宅内やその周辺を移動したり滞在した時に、照明器具１のセンサ部１２が生活者を検知すると、検知情報をメインコントローラ３を経由してゲートウエイサーバ４に蓄積する。
【００６６】
例えば、朝、生活者が朝食をとるためにダイニング・キッチンに入ると、ダイニング・キッチンに設置された第１のリモコン２のセンサ部２３が生活者を検知して検知情報を発生する。そして、第１のリモコン２は通信部２０から２台の照明器具１へ赤外線信号によって検知情報を送信する。２台の照明器具１は、通信部１０で検知情報を受信して光源部１３を点灯させる。
【００６７】
これらの動作と同時に第１のリモコン２は、通信部２１から例えば小電力無線などの無線信号によって、メインコントローラ３ヘ検知情報を送信する。この検知情報には、リモコンを識別するための情報（例えばリモコンアドレスなど）が含まれている。
【００６８】
メインコントローラ３は、第２通信部３１で検知情報を受信すると、通信部３２から例えばＲＳ−２３２Ｃなどのシリアル信号によってゲートウエイサーバ４に検知情報を送信する。この検知情報にもリモコンを識別するための情報が含まれている。
【００６９】
ゲートウエイサーバ４は、通信部４０で検知情報を受信すると、この情報に日付・時刻情報を付加してこれを（例えば、「2001年01月21日07:15;リモコン（ダイニング・キッチン）検知」）データ・プログラム格納部４４に記憶する。
【００７０】
次に、例えば生活者がダイニング・キッチンからトイレに移動した場合、トイレに設置された第３のリモコン２のセンサ部２３が生活者を検知して検知情報を発生する。そして、第３のリモコン２は、通信部２０から照明器具１へ赤外線信号によって検知情報を送信する。
【００７１】
照明器具１は、通信部１０で第３のリモコン２から送信された検知情報を受信して光源部１３を点灯させる。これらの動作と同時に第３のリモコン２は、通信部２１から例えば小電力無線などの無線信号によって、メインコントローラ３ヘ検知情報を送信する。この検知情報には、リモコンを識別するための情報（例えばリモコンアドレスなど）が含まれている。
【００７２】
メインコントローラ３は、第２通信部３１で検知情報を受信すると、通信部３２から例えばＲＳ−２３２Ｃなどのシリアル信号によってゲートウエイサーバ４に検知情報を送信する。この検知情報にも、リモコンを識別するための情報が含まれている。
【００７３】
ゲートウエイサーバ４は、通信部３０でメインコントローラ３から送信されてきた検知情報を受信すると、この情報に日付・時刻情報を付加してこれを（例えば「2001年01月21日08:24;リモコン（トイレ）検知」）データ・プログラム格納部４４に記憶する。
【００７４】
このように各照明器具のセンサ部が検知情報を発生する度に、上記のような一連の処理・動作が繰り返し行われる。
【００７５】
次に、第１実施形態における生活者の生活モニタの動作について説明する。図１０に示すように、例えば生活者がいる住宅以外の遠隔地にいる人が、例えばインターネット接続機能付携帯電話などの端末５により、生活者がいる住宅のゲートウエイサーバ４のアドレスに、そのデータ・プログラム格納部４４に記憶された各リモコンのセンサ部の検知情報の取得要求指示等を含んだ情報を作成して、例えば電子メール等の形式で送信する。
【００７６】
ゲートウエイサーバ４は、通信部４１で電子メールを受信すると、その情報を解読して、データ・プログラム格納部４４に記憶されている、各リモコンのセンサ部の検知情報を例えば時系列順に加工して、この加工された情報を例えば電子メール形式で、検知情報の取得要求指示等を含んだ情報を、送信してきた端末５のアドレスに返信する。以下に、返信される情報の例を示す（また図１１に示す例を参照）。
【００７７】
2001年01月21日07:15;リモコン（ダイニング・キッチン）検知
2001年01月21日18:24;リモコン（トイレ）検知
2001年01月21日08:37;リモコン（内玄関）検知
2001年01月21日17:55;リモコン（内玄関）検知
2001年01月21日18:00;リモコン（ダイニング・キッチン）検知
このようにして、ゲートウエイサーバ４のデータ・プログラム格納部４４に記憶された、住宅内や周辺にいる生活者の動作に基づく各リモコン２のセンサ部２３の検知情報の一覧を遠隔地で取得して閲覧することにより、その住宅で生活する生活者が通常の生活をしているのか、異常事態が発生しているのかを照明システムによって確認することが可能となる。
【００７８】
例えば、通常２時間に１回程度はトイレに行く（トイレの検知情報が発生する）生活者の場合で、ある日だけ、異常に回数が多い場合などでは、体調の不良などが想定される。
【００７９】
また、例えば、内玄関のリモコン２のセンサ部２３の検知情報が全くなく、外出した形跡がないのに、１２時間以上もトイレのリモコン２のセンサ部２３の検知情報がない場合には、心筋梗塞や脳卒中などで倒れていることも想定される。
【００８０】
以上のように、第１実施形態によれば、ゲートウエイサーバにおいてリモコンや照明器具に内蔵されたセンサの情報を蓄積、解析することにより、住宅内の防犯のための確認や居住者の安否確認を行ない、これらの情報を家の外にいる人に自動的に通報を行なうことができる。つまり、通常は一般的な住宅用の照明システムとして省エネ・高利便性などの機能を果たしつつ、遠隔地から生活者のモニタ（安否確認）を行うことも可能な、従来にない極めて斬新かつ大きな効果が得られる。
【００８１】
照明システムによる生活者モニタ（安否確認）は、電気ポットのスイッチ操作情報や冷蔵庫のドアの開閉情報など単なる電気機器の操作情報や動作情報による生活者モニタ（安否確認）と異なり、もともと住宅の各部位に存在する（生活必需品である）センサ照明器具の検知情報に基づくため、生活者が何時にどこにいるのか、またトイレなどにどのような時間間隔で何回行ったのかというような生活行動パターンまでもが遠隔地から把握できるので、極めて精度の高い生活者モニタ（安否確認）が可能となる。
【００８２】
なお、第１実施形態では、リモコンに搭載されたセンサ部の検知情報のみに基づいて生活者モニタ（安否磧認）を行っていたが、センサ部の検知情報だけでなく、例えば照明器具の動作情報（点灯、消灯、調光、豆球点灯など）やスイッチ操作情報をゲートウエイサーバに蓄積して送信することにより、生活者モニタ（安否碗認）を行うようにしても構わない。
【００８３】
また、ゲートウエイサーバでの操作部からの設定入力により、照明システムを「生活者モニタモード」に移行させたが、これはゲートウエイサーバからだけでなく、メインコントローラの操作部や、外部通信回線に接続される端末からの遠隔指示でもよく、タイマ等のスケジュール制御による自動設定でも構わない。
【００８４】
また、ゲートウエイサーバとメインコントローラは一体化される構成でも構わない。
【００８５】
また、照明器具からメインコントローラまでの通信経路上のシステム構成は、第１実施形態の照明器具とリモコンとメインコントローラに限らず、例えば、図１２〜図２２に示す構成でも構わない。
【００８６】
図１２〜図１７に示す照明システムは、メインコントローラを具備せず、複数の照明器具１と、複数のリモコン２と、ゲートウエイサーバ４とを備えている。照明器具１は、図１３に示すように第１参考例と同様に、あるいは図１４に示すようにセンサ部を具備しない以外は第１参考例と同様に構成される。リモコン２は、照明器具１がセンサ部１２を具備する場合にはセンサ部２３を具備しない以外は第１参考例と同様に、あるいは図１５に示すように第１参考例と同様に構成される。ゲートウエイサーバ４は、図１６に示すように、通信部４０に代え、照明器具１と赤外線信号で通信を行うための通信部４６と、リモコン２と例えば電波などの無線で通信を行うための通信部４７とを備えている以外は第１参考例と同様に構成される。
【００８７】
図１８〜図２１に示す照明システムは、メインコントローラが自己と同じ部屋にない照明器具を電波などの無線で通信を行うことにより制御する構成になっている。図１９に示すようにリモコン２などは第１参考例と同様に構成され、メインコントローラ３によって壁越しに制御されない照明器具１は、図２０に示すように第１参考例と同様に構成され、メインコントローラ３によって壁越しに制御される外灯などの照明器具１は、図２１に示すように、通信部１０に代え、メインコントローラ３と例えば電波などの無線で通信を行うための通信部１０Ａが設けられる。
【００８８】
図２２に示す照明システムは、複数の照明器具１の一部が図１２〜図１７に示した照明システムと同様にリモコン２を介してゲートウエイサーバ４と接続し、複数の照明器具１の残部が赤外線でゲートウエイサーバ４と接続する構成になっている。
【００８９】
（第２実施形態）
本発明に係る第２実施形態の照明システムは、図２３に示すように、第１実施形態と同様なレイアウトになっている。第２実施形態でも、第１実施形態と同じ一連の動作で、各照明器具１のセンサ部が検知情報を発生する度に、ゲートウエイサーバ４に検知情報が蓄積される。
【００９０】
第２実施形態では、ゲートウエイサーバ４がデータ・プログラム格納部４４に蓄積されている各リモコン２のセンサ部２３の検知情報をデータ処理部４３で加工して、あらかじめゲートウエイサーバ４に設定されている一定時間以上の間、各リモコン２からの検知情報がなければ、異常事態が発生したと判断し、異常事態が発生したことを報知する情報を含んだ、例えば電子メールなどの情報を、あらかじめ設定されている端末５に通信部４１から送信し、積極的に異常事態の発生を報知することを特徴とする。
【００９１】
上記一連の動作や処理により、例えば2001年01月21日10時37分現在でゲートウエイサーバ４のデータ・プログラム格納部４４に以下のような検知情報が蓄積されているものとする。
【００９２】
2001年01月21日10:37現在＞
2001年01月21日07:15;リモコン（ダイニング・キッチン）検知
2001年01月21日07:24;リモコン（トイレ）検知
2001年01月21日07:37;リモコン（ダイニング・キッチン）検知
2001年01月21日07:55;リモコン（ダイニング・キッチン）検知
2001年01月21日08:10;リモコン（ダイニング・キッチン）検知
2001年01月21日08:24;リモコン（ダイニング・キッチン）検知
2001年01月21日08:37;リモコン（トイレ）検知
ここで、ゲートウエイサーバ４には、例えば２時間以上の間、データ・プログラム格納部４４に検知情報が入力されないと異常と判定し、あらかじめ設定されている例えば端末５のアドレスに、異常発生を報知する異常通報メールを送信するように、設定されているものとする。
【００９３】
この場合、蓄積されている最新の検知情報が08時37分のトイレの照明器具１であり、これ以降現在の10時37分まで２時間の間、新たな検知情報の入力がない。
【００９４】
ゲートウエイサーバ４は、データ処理部４３で検知情報の入力時刻の間隔を監視しており、最新の検知情報の入力時刻の08時37分から、あらかじめ設定されている２時間以上になったため、異常事態が発生したものと判断し、例えば図２４に示すように、異常発生を報知する情報を含む電子メールを作成して、あらかじめ設定されている、例えば生活者の家族が持つ端末５のアドレス宛に送信する。
【００９５】
このようにして、ゲートウエイサーバ４のデータ・プログラム格納部４４に記憶された、住宅内や周辺にいる生活者の動作に基づく各リモコン２のセンサ部２３の検知情報の一覧の入力間隔や入力の有無をゲートウエイサーバ４で監視し、自動通報させることにより、遠隔地にいる監視者は特別な作業をしなくても、監視対象の住宅で生活する生活者が通常の生活をしているのか、異常事態が発生しているのかを照明システムによって確認することが可能となる。
【００９６】
例えば、通常２時間に１回程度はトイレに行く（トイレの検知情報が発生する）生活者を想定したとき、ある日だけ、異常に回数が少ない場合などでは、体調の不良などが考えられ、全く検知情報がない場合には、心筋梗塞や脳卒中などで倒れていることも推察される。
【００９７】
以上のように、第２実施形態によれば、通常は一般的な住宅用照明システムとして省エネ・高利便性などの機能を果たしつつ、遠隔地から生活者モニタ（安否確認）を行うことも可能な、従来にない極めて斬新かつ大きな効果が得られる。
【００９８】
照明システムによる生活者モニタ（安否確認）は、電気ポットのスイッチ操作情報や冷蔵庫のドアの開閉情報など単なる電気機器の操作情報や動作情報による生活者モニタ（安否確認）と異なり、もともと住宅の各部位に存在する（生活必需品である）センサ照明器具の検知情報に基づくため、生活着が何時にどこにいるのか、またトイレなどにどのような時間間隔で何回行ったのかというような生活行動パターンまでもが遠隔地から把握できるので、極めて精度の高い生活者モニタ（安否確認）が可能となる。
【００９９】
なお、第２実施形態では、各照明器具のセンサ部の検知情報に基づいて生活者モニタを行なったが、センサ部の検知情報ではなく、スイッチ操作などの操作部の操作情報に基づいて生活者モニタを行なうようにしてもよく、センサ部の検知情報と操作部の操作情報を合わせ、それらの情報を加工して生活者モニタを行なうようにしても構わない。
【０１００】
また、ゲートウエイサーバでの操作部からの設定入力により、照明システムを「生活者モニタモード」に移行させたが、メインコントローラの操作部や、外部通信回線に接続される端末からの遠隔指示でもよく、タイマ等のスケジュール制御による自動設定でも構わない。
【０１０１】
（第３実施形態）
本発明に係る第３実施形態の照明システムは、第１参考例のシステム構成と同様であり、センサ部は人感センサと明るさセンサにより構成される。検知・動作情報蓄積までの一連動作において、センサ部が検知情報を発生しても、それをゲートウエイサーバ４ヘ送信するだけで、照明器具１は点灯させない。照明器具１は、手動操作のみで点灯し、手動で操作された動作情報（点灯、消灯、調光、豆球点灯など）を出力する。このような照明システムにおいて、例えば照明器具１がトイレやダイニング・キッチンに設置されており、昼の１２時頃にダイニングで食事をとっている場合、昼の１２時頃なので、周囲は充分明るいため、生活者は照明器具１を点灯させず消灯のままで食事をとる。照明器具１のセンサ部１２は、食事中の生活者を検知して検知情報を出力するとともに、照明器具１の動作情報も出力する。この場合、検知情報には、
・人の検知＝あり
・明るさ＝明るい
・照明器具アドレス
の３種類の情報が含まれている。照明器具１は、器具の動作情報として
・器具動作＝消灯
を出力する。これらの情報は照明器具１の通信部１０Ａから無線信号でメインコントローラ３ヘ送信され、メインコントローラ３は、情報を通信部３１で受信したら、通信部３２から例えばＲＳ−２３２Ｃなどのシリアル信号でゲートウエイサーバ４ヘ送信する。
【０１０２】
ゲートウエイサーバ４は、通信部４０でその情報を受信すると、これをデータ・プログラム格納部４４に記憶させるとともに、この情報に以下の加工分析を加える。ゲートウエイサーバ４には時刻情報があり、照明器具１から受信した情報に時刻情報を付加し、例えば以下のような情報にする。
【０１０３】
・2001年01月21日12:15;照明器具（ダイニング・キッチン）消灯
人感センサ＝検知
明るさセンサ＝明
この場合、昼間の時刻にダイニング・キッチンで人感センサが検知しているので、人が居ることがわかるし、明るさセンサが明信号なので照明器具１が消灯していても、何ら異常とは考えられない。従って、異常発生はなく生活者は正常状態と判定できる。
【０１０４】
次に、例えば夕方４時頃にダイニングで胸が苦しくなって倒れて、その後ずっとその場でもがいている場合を考える。この場合、倒れたのは夕方の４時であり周囲が充分明るいので照明器具１は消灯させたままである。そして、それ以降も照明器具１は断続的に人の存在を検知する。するとゲートウエイサーバ４には以下のような情報が順次蓄積されることになる。
【０１０５】
・2001年01月21日16:07;照明器具（ダイニング・キッチン）消灯
人感センサ＝検知
明るさセンサ＝明
・2001年01月21日17:01;照明器具（ダイニング・キッチン）消灯
人感センサ＝検知
明るさセンサ＝明
・2001年01月21日18:15;照明器具（ダイニング・キッチン）消灯
人感センサ＝検知
明るさセンサ＝暗
・2001年01月21日19:20;照明器具（ダイニング・キッチン）消灯
人感センサ＝検知
明るさセンサ＝暗
・2001年01月21日20:15;照明器具（ダイニング・キッチン）消灯
人感センサ＝検知
明るさセンサ＝暗
・2001年01月21日21:15;照明器具（ダイニング・キッチン）消灯
人感センサ＝検知
明るさセンサ＝暗
この場合、最初１６時頃にダイニング・キッチンで人感センサが検知しているので、人がいることがわかり、明るさセンサが明信号なので照明器具１が消灯していても、何ら異常とは考えられない。
【０１０６】
しかしながら、１８時以降の情報では、人感センサの検知情報により、ダイニング・キッチンに人がいることはわかるが、時刻情報からと明るさセンサの情報からその人がいる所が暗いこともわかる。それにもかかわらず照明器具１の動作情報が消灯のままであるので、ダイニング・キッチンに人がいて、しかも暗いのに照明器具１が消灯されたままであるということが確認され、これは通常の照明器具１の使い方から見ると何らかの異常が発生していることが想定される。
【０１０７】
このようにして、異常状態が確認されると、あらかじめゲートウエイサーバ４に設定されている端末５のアドレスに、異常発生を報知する情報を含んだ例えば電子メールなどの以下の報知情報が通信部４１から送信される。
【０１０８】
□□△△様宅 異常事態発生
・2001年01月21日16:07;照明器具（ダイニング・キッチン）消灯
人感センサ＝検知
明るさセンサ＝明
・2001年01月21日17:01;照明器具（ダイニング・キッチン）消灯
人感センサ＝検知
明るさセンサ＝明
・2001年01月21日18:15;照明器具（ダイニング・キッチン）消灯
人感センサ＝検知
明るさセンサ＝暗
・2001年01月21日19:20;照明器具（ダイニング・キッチン）消灯
人感センサ＝検知
明るさセンサ＝暗
・2001年01月21日19:20現在＞
異常発生 存室照明器具 未点灯；大至急、適切な対応をとって下さい。
【０１０９】
このようにして、ゲートウエイサーバ４のデータ・プログラム格納部４４に記憶された、住宅内や周辺にいる生活者の動作に基づく各照明器具１のセンサ部１２の人感センサと明るさセンサの検知情報、照明器具１の動作情報との一覧をゲートウエイサーバ４で演算し、それらの各情報の検知結果の組み合わせを監視することで異常事態を判定して自動通報させることにより、遠隔地にいる監視者は特別な作業をしなくても、監視対象の住宅で生活する生活者が通常の生活をしているのか、異常事態が発生しているのかを照明システムによって確認することが可能となる。
【０１１０】
以上のように、第３実施形態によれば、通常は一般的な住宅用照明システムとして省エネ・高利便性などの機能を果たしつつ、遠隔地から生活者モニタ（安否確認）を行うことも可能な、従来にない極めて斬新かつ大きな効果が得られる。
【０１１１】
照明システムによる生活者モニタ（安否確認）は、電気ポットのスイッチ操作情報や冷蔵庫のドアの開閉情報など単なる電気機器の操作情報や動作情報による生活者モニタ（安否確認）と異なり、もともと住宅の各部位に存在して、夜や周囲が暗い場合に必ず使う（生活必需品である）照明器具の特徴を活用し、周囲の明るさの監視と照明器具の動作情報と、人の存在を検知する人感センサの検知情報を組合せて判定させることにより、極めて精度の高い生活者モニタ（安否確認）が可能となる。
【０１１２】
また、第３実施形態では、リモコン２に搭載されたセンサ部１２の検知情報のみに基づいて生活者モニタ（安否確認）を行っていたが、センサ部の検知情報だけでなく、例えば照明器具の動作情報（点灯、消灯、調光、豆球点灯など）やスイッチ操作情報をゲートウエイサーバに蓄積して送信することにより、生活者モニタ（安否確認）を行っても構わない。
【０１１３】
また、ゲートウエイサーバでの操作部からの設定入力により、照明システムを「生活者モニタモード」に移行させたが、メインコントローラの操作部や、端末からの遠隔指示でもよく、タイマ等のスケジュール制御による自動設定でも構わない。
【０１１４】
また、照明器具からメインコントローラまでの通信経路上のシステム構成は、第１実施形態の照明器具とメインコントローラだけでなくてもよく、例えば第１参考例のような照明器具とリモコンとメインコントローラのような構成とそれに基づく通信手順でも構わない。
【０１１５】
例えば、図２５〜図２６に示すような構成でもよい。図２５，図２６に示す照明システムは、複数の照明器具１と、複数のリモコン２と、メインコントローラ３とを備えている。照明器具１およびリモコン２は、これまでの各実施形態と同様であるが、メインコントローラ３は、図３４に示すように、通信部３２を具備しない点でこれまでのメインコントローラとは相違する。
【０１１６】
（第４実施形態）
図２７は本発明に係る第４実施形態の照明システムにおける端末とゲートウエイサーバとの間の信号のやりとりの説明図である。
【０１１７】
図２７に示す照明システムは、第４実施形態の特徴として、照明器具１またはリモコン２（第４実施形態ではリモコン２）は、通信テストトリガ装置を有し、この通信テストトリガ装置は、通信テストトリガのオンに応じて、メインコントローラ３およびゲートウエイサーバ４を経由して外部の端末５にテスト信号をメッセージとして送信する。
【０１１８】
例えば、ゲートウエイサーバ４とメインコントローラ３がＲＳ−２３２Ｃによるシリアル信号で通信し、メインコントローラ３とリモコン２が無線通信し、リモコン２と照明器具１が赤外線信号で通信し、ゲートウエイサーバ４が予め設定された端末５のアドレスをもとにその端末５にメッセージを送信し、端末５がそのメッセージを用いて照明器具１のオン／オフなどのリモート制御を実行することができるようにレイアウトされた照明システムにおいて、上記通信テストトリガ装置による動作を説明する。
【０１１９】
リモコン２に設けられた「スイッチ」を押すことにより（手順１）、リモコン２は、照明器具１を「点灯」させ、旦つメインコントローラ３にテスト信号を無線送信する（手順２）。メインコントローラ３は、テスト信号を受信すると一方の「ＬＥＤ」を点灯させ、旦つゲートウエイサーバ４にテスト信号を送信する（手順３）。ゲートウエイサーバ４は、テスト信号を受信すると、「テスト信号を受信しました」と画面表示し、旦つ端末５にテスト信号をメッセージで送信する（手順４）。
【０１２０】
端末５は、テスト信号をメッセージで受信すると、これを返信する（手順５）。ゲートウエイサーバ４は、返信されたメッセージによりテスト信号を第２のテスト信号として受信すると、端末から「テスト信号を受信しました」と画面表示し、旦つメインコントローラ３に第２のテスト信号を送信する（手順６）。メインコントローラ３は、第２のテスト信号を受信すると、他方の「ＬＥＤ」を点滅させ、旦つリモコン２に第２のテスト信号を送信する（手順７）。リモコン２は、第２のテスト信号を受信すると、照明器具１を「点滅」させ、旦つリモコン２に備えられた「ブザー」を鳴らす（手順８）。
【０１２１】
第４実施形態によれば、リモコン２→メインコントローラ３→ゲートウエイサーバ４→端末５という通信路のチエックが「スイッチ」一つで簡単に出来る。
【０１２２】
端末５がメールで受信したテスト信号をそのまま返信することで、ゲートウエイサーバ４はテスト信号を受信することでこれをテスト送信の第２のテスト信号として認識するため、端末でわずらわしい形式に従ったコマンドを入力し送信する必要が無くなる。
【０１２３】
メインコントローラ３およびゲートウエイサーバ４で、テスト信号や第２のテスト信号を受信完了したことを示す表示をすることによって、端末５までテスト信号が送信されない場合には、メインコントローラ３、ゲートウエイサーバ４のどこで通信エラーとなっているかを推測することができる。
【０１２４】
手順２において照明器具１を点灯させることや、手順８においてリモコン２の「ブザー」を鳴らし且つ照明器具１を「点滅」させることによって、リモコン２→照明器具１の赤外線部分の通信確認も同時に行える。
【０１２５】
なお、手順２，８における照明器具１の制御は、点灯、消灯、点滅、調光などでもよい。制御を調光にすることで調光器が正常に動作していることも確認できる。
【０１２６】
手順８における「ブザー」はＬＥＤ表示や振動などでもよい。手順３，７におけるＬＥＤ表示は、振動やブザーでもよい。手順４，６におけるポップ表示は、ＬＥＤ表示でもブザーでも振動でもよい。
【０１２７】
手順１のテストスイッチをセンサ入力にすることで、人感センサ、温度センサなどのセンサの動作テストと、通信テストを兼ねることができる。
【０１２８】
メインコントローラ３がゲートウエイサーバ４に内蔵されている場合、メインコントローラ３がゲートウエイサーバ４間の通信を省略することもできる。
【０１２９】
（第５実施形態）
図２８は本発明に係る第５実施形態の照明システムにおける端末とゲートウエイサーバとの間の信号のやりとりの説明図である。
【０１３０】
図２８に示す照明システムは、第５実施形態の特徴として、ゲートウエイサーバ４が、照明器具１のリモート操作をするための各種メッセージのうち所定の使用頻度のメッセージを、通信部４１を通じて端末５に送信する。
【０１３１】
例えば、ゲートウエイサーバ４とメインコントローラ３がＲＳ−２３２Ｃによるシリアル信号で通信し、メインコントローラ３とリモコン２が無線通信し、リモコン２と照明器具１が赤外線信号で通信し、ゲートウエイサーバ４が予め設定された端末５のアドレスをもとにその端末５にメッセージを送信し、端末５がそのメッセージを用いて照明器具１のオン／オフなどのリモート制御を実行することができるようにレイアウトされた照明システムにおいて、その照明システムの設置時に、使用頻度が所定の基準頻度よりも高いと見込める「照明器具全点灯」「照明器具全消灯」「外灯のみ点灯」などの汎用コマンドを端末５に例えばメール送信して記憶させておく。
【０１３２】
これにより、端末が持ち運びの手軽な携帯電話やＰＤＡなどであってパソコンなどに比べ文字入力が容易ではなく、大文字、小文字、「〜」「？」「＿」などの記号の入力方法が分からなくても、あるいは規則に従ったものでないと認識できない、端末５からゲートウエイサーバ４へのメール送信形式を利用者が記憶しておかなくても、リモート操作時のコマンド入力の負担を飛躍的に軽減することができる。なお、汎用コマンドの端末５への送信は、メール送信に限らず、有線でゲートウエイサーバ４と接続したときにデータ伝送により送信されるようにしてもよく、インターネット経由でデータをダウンロードする形態でもよい。
【０１３３】
（第６実施形態）
図２９は本発明に係る第６実施形態の照明システムにおける端末とゲートウエイサーバとの間の信号のやりとりの説明図である。
【０１３４】
図２９に示す照明システムは、第６実施形態の特徴として、ゲートウエイサーバ４が、通信部４０からローカル側に送信した信号による照明器具１の操作の履歴を記憶部（データ・プログラム格納部４４）に記憶し、この記憶部に記憶された履歴中の特定の一の操作用の命令を、端末５が照明器具１をリモート操作する場合に使用する通信形式に変換して、通信部４１を通じて端末５に送信し、その通信形式に変換された命令が端末５から返信されてくると、その命令に対応する制御を実行するように構成される。
【０１３５】
例えば、ゲートウエイサーバ４とメインコントローラ３がＲＳ−２３２Ｃによるシリアル信号で通信し、メインコントローラ３とリモコン２が無線通信し、リモコン２と照明器具１が赤外線信号で通信し、ゲートウエイサーバ４が予め設定された端末５のアドレスをもとにその端末５にメッセージを送信し、端末５がそのメッセージを用いて照明器具のオン／オフなどのリモート制御を実行することができるようにレイアウトされた照明システムにおいて、第６実施形態のゲートウエイサーバ４による制御動作を説明する。
【０１３６】
図２９に示すように、ゲートウエイサーバ４は、メインコントローラ３およびリモコン２を介して、複数台（図では４台）の照明器具１のうち、上から１台目の照明器具１を「点灯」、２台目の照明器具１を「消灯」、３台目の照明器具１を「５０％調光」、４台目の照明器具１を「点滅」の状態に制御した場合、その履歴を記憶部に保存して図示しない表示部に表示する。そして、ゲートウエイサーバ４は、表示部に表示された履歴から、特定の一の操作用の命令が選択され、図示しない「端末へ送信」ボタンが押されると、その命令を、端末５が照明器具１をリモート操作する場合に使用する通信形式に変換して、通信部４１を通じて端末５に送信する。端末５は、その変換された命令を受信するとそれを記憶保持する。これにより、例えば図２９に示す制御内容の操作命令が上記通信形式に変換されて端末５に送信されたとすれば、端末５を操作してその通信形式に変換された命令をゲートウエイサーバ４に返信することにより、その命令に対応する制御が実行されるので、図２９に示す制御をリモートで簡単に実行することができる。
【０１３７】
端末５よりゲートウエイサーバ４にメール送信する形式は、規則に従ったものでないと認識できないため、その形式を利用者が記憶していなければならないが、第６実施形態によれば、ゲートウエイサーバ４を利用したコマンド処理が履歴として保存され、端末５にメッセージ送信され、端末５はその履歴コマンドを返信することで複雑なコマンドを実行することができるため、飛躍的にコマンド入力の手間を軽減することができる。
【０１３８】
なお、図２９では、メインコントローラ３およびゲートウエイサーバ４が設けられるレイアウトで説明したが、メインコントローラ３およびゲートウエイサーバ４を一体にしたレイアウトでもよいことは言うまでもない。この構成によれば、メインコントローラ３およびゲートウエイサーバ４間の通信部の削減が可能となり、照明システム全体での通信エラー率を減らすことができる。
【０１３９】
（第７実施形態）
図３０は本発明に係る第７実施形態の照明システムにおける端末とゲートウエイサーバとの間の信号のやりとりの説明図である。
【０１４０】
図３０に示す照明システムは、第７実施形態の特徴として、ゲートウエイサーバ４が、照明器具１のリモート操作をするための各種コマンドの一覧を記憶部（データ・プログラム格納部４４）に記憶し、通信部４１を通じて、端末５から上記一覧の送信要求を受けると記憶部に記憶された一覧を端末５に送信するように構成される。
【０１４１】
例えば、ゲートウエイサーバ４とメインコントローラ３がＲＳ−２３２Ｃによるシリアル信号で通信し、メインコントローラ３とリモコン２が無線通信し、リモコン２と照明器具１が赤外線信号で通信し、ゲートウエイサーバ４が予め設定された端末５のアドレスをもとにその端末５にメッセージを送信し、端末５がそのメッセージを用いて照明器具１のオン／オフなどのリモート制御を実行することができるようにレイアウトされた照明システムにおいて、第７実施形態のゲートウエイサーバ４による制御動作を説明する。例えば、ゲートウエイサーバ４は、端末５から、簡単な題名、例えば「ＨＥＬＰ」のメールを受信すると、記憶部に記憶している一覧をメッセージにして返信する。
【０１４２】
端末５よりゲートウエイサーバ４にメール送信する形式は、規則に従ったものでないと認識できないため、その形式を利用者が記憶していなければならないが、第９実施形態によれば、簡単な題名のメールをゲートウエイサーバ４に送ることでコマンドの一覧を入手することができるから、リモート操作時のコマンド入力の負担を飛躍的に軽減することができる。また、端末を変更した場合や、普段携帯を端末に利用しているが、急遽、会社のパソコンにて照明を全消灯したい場合など、どこからでもコマンドの一覧を入手することができる。
【０１４３】
（第８実施形態）
図３１は本発明に係る第８実施形態の照明システムにおける端末とゲートウエイサーバとの間の信号のやりとりの説明図である。
【０１４４】
図３１に示す照明システムは、第８実施形態の特徴として、図３１に示すように、ゲートウエイサーバ４が、通信部４１を通じて、端末５から照明器具１のリモート操作をするためのメッセージを受けると、このメッセージに対応する、照明器具１のリモート操作のための信号を、通信部４０を通じて、メインコントローラ３の通信部３２に送信し、この後、リモート操作が正常に終了すれば、そのことを示すものであって、返信されることで同じリモート操作をするためのメッセージとして機能するメッセージを、通信部４１を通じて端末５に送信するように構成される。
【０１４５】
例えば、ゲートウエイサーバ４とメインコントローラ３がＲＳ−２３２Ｃによるシリアル信号で通信し、メインコントローラ３とリモコン２が無線通信し、リモコン２と照明器具１が赤外線信号で通信し、ゲートウエイサーバ４が予め設定された端末５のアドレスをもとにその端末５にメッセージを送信し、端末５がそのメッセージを用いて照明器具１のオン／オフなどのリモート制御を実行することができるようにレイアウトされた照明システムにおいて、第８実施形態のゲートウエイサーバ４による制御動作を説明する。
【０１４６】
端末５からゲートウエイサーバ４に照明器具１をオンにするコマンドが送信されると、ゲートウエイサーバ４はメインコントローラ３に照明器具１のオンコマンドを送信する。メインコントローラ３はオンコマンドを受信するとリモコン２に照明器具オンコマンドを送信する。リモコン２は照明器具オンコマンドを受信すると従来と同様の信号を照明器具１に送信してその負荷をオンにし、メインコントローラ３に照明器具オン完了コマンドを返信する。メインコントローラ３は照明器具オン完了コマンドを受信するとそれをゲートウエイサーバ４に転送する。ゲートウエイサーバ４は、照明器具オン完了コマンドを受信すると、照明器具オン完了コマンドを、同じリモート操作をするためのメッセージとして端末５に送信する。端末５はそのメッセージを受信するとこれを記憶保持する。これにより、端末５からそのメッセージ（完了コマンドメール）をゲートウエイサーバ４に送信することにより、上記と同じ制御をリモートで簡単に実行することができる。
【０１４７】
端末５よりゲートウエイサーバ４にメール送信する形式は、規則に従ったものでないと認識できないため、その形式を利用者が記憶していなければならないが、第８実施形態によれば、コマンドを実行した際の完了コマンドを返信することで同様のコマンド操作が可能になるため、例えば図２９で説明したように複数台の照明器具を制御した場合、そのための複雑なコマンドを完了コマンドメールで代用することができるので、飛躍的にコマンド入力の手間を軽減することができる。
【０１４８】
（第９実施形態）
上記各実施形態では、コントローラや外部の端末によりセキュリティモードの設定等を設定する必要がある。このため、外出時にセキュリティモードへの切替えを忘れると、セキュリティモードで動作しないこととなり、不用心である。
【０１４９】
そこで、第９実施形態では、セキュリティモードへの切替えを、外出時の戸締まりのための施錠動作と連動させる。このため、鍵の部分に施錠、解錠を検出する機構と、その作業が家の中から行なわれたか、外で行なわれたかを検出する機構とを設け、これらの機構から得られる情報をメインコントローラに送信するように照明システムを構成する。なお、その情報の伝送手段は有線でも無線でもよい。
【０１５０】
動作としては内部／外部の操作と施錠／解錠の動作に分けて考え、これらの組合せで動作モードを設定する。具体的な動作としては操作部位 操作 動作外 施錠 セキュリティオン外 開錠 セキュリティオフ中 施錠 モード変化なし中 解錠 セキュリティオフとすることにより、外出時には家の戸締まりとともにセキュリティモードの動作を関姶することができ、帰宅時には家の鍵を開けるとともにセキュリティモードの動作を終了することになる。これにより、外出時にセキュリティモードへの切替えが確実に行われることになる。
【０１５１】
【発明の効果】
以上のことから明らかなように、請求項１記載の発明は、赤外線による通信を行うための通信手段を有し、この通信手段から得られる信号に従って動作する少なくとも一つの照明器具と、各種操作入力用の操作入力手段、赤外線による通信を行うための負荷側通信手段および電波による通信を行うメイン側通信手段を有し、前記操作入力手段または前記メイン側通信手段から得られる信号を、前記負荷側通信手段を通じて前記照明器具の通信手段に送信するためのリモコンと、赤外線又は電波による通信を行うための下位側通信手段および上位側通信手段を有し、少なくとも前記上位側通信手段から得られる信号を、前記下位側通信手段を通じて赤外線により前記照明器具の通信手段に送信するかまたは電波によりリモコンの前記メイン側通信手段に送信するメインコントローラと、通信を行うためのローカル側通信手段およびリモート側通信手段を有し、外部の通信端末から得られ前記リモート側通信手段から得られた信号を、前記ローカル側通信手段を通じて、前記上位側通信手段、前記メイン側通信手段または前記照明器具の通信手段に送信するゲートウエイサーバとを備え、前記リモコンは、自己の負荷側通信手段を通じて赤外線により前記照明器具を制御するとともに、自己のメイン側通信手段を通じてその照明器具の動作情報を電波により前記メインコントローラに送信し、前記メインコントローラは、自己の下位側通信手段で前記動作情報を受信すると、これを自己の上位側通信手段経由で前記ゲートウエイサーバに送信し、前記ゲートウエイサーバは、自己のローカル側通信手段で前記動作情報を受信すると、これを所定の形式に加工した上で自己のリモート側通信手段から外部通信回線経由で外部の通信端末に送信する照明システムであって、前記照明器具および前記リモコンの各々は、センサを有し、このセンサから得られる検知情報または動作情報を自己の通信手段経由で前記メインコントローラに送信し、前記メインコントローラは、自己の下位側通信手段で前記検知情報または動作情報を受信すると、これを自己の上位側通信手段経由で前記ゲートウエイサーバに送信し、前記ゲートウエイサーバは、自己のローカル側通信手段で前記検知情報または動作情報を受信すると、この検知情報または動作情報から得られる、前記照明器具の設置領域内への人の侵入検知情報または前記照明器具の設置領域内での人の生活行動パターン情報を、自己のリモート側通信手段から外部通信回線経由で外部の通信端末に送信するので、この通信端末に送信された照明器具の動作情報から宅内の様子を知ることができるから、外部の遠隔地において、その宅内の照明器具の操作や動作状況の確認、防犯や居住者の安否確認を行なうことができる。また、上記照明器具、リモコン、メインコントローラおよびゲートウエイサーバにおける各部間の通信機能により、大がかりな電気工事等を行なうことなく、住宅等の照明器具の動作状態を一か所で制御でき、照明器具間の制御を簡単かつ円滑に行なえる。しかも、通信端末に送信された、照明器具の設置領域内への人の侵入検知情報または照明器具の設置領域内での人の生活行動パターン情報から、当該照明システムが設けられた戸内の様子を知ることができ、従来の照明システムとしての省エネや利便性などの機能を待つつ、簡易ホームセキュリティシステムとして、従来の照明器具や照明システムにはなかった効果、または遠隔地から生活者のモニタ（安否確認）を行うことも可能な、従来にない極めて斬新かつ大きな効果が得られる。
【０１５２】
請求項２記載の発明は、請求項１記載の照明システムにおいて、前記リモコンは、センサから得られる検知情報を基に前記照明器具に制御信号を自己の負荷側通信手段経由で送信することにより前記照明器具の制御を行うとともに、前記検知情報を自己のメイン側通信手段経由で前記メインコントローラに送信し、前記メインコントローラは、自己の下位側通信手段で前記検知情報を受信すると、これを自己の上位側通信手段経由で前記ゲートウエイサーバに送信し、前記ゲートウエイサーバは、自己のローカル側通信手段で前記検知情報を受信すると、これを所定の形式に加工した上で自己のリモート側通信手段から外部通信回線経由で外部の通信端末に送信するので、この通信端末に送信された検知情報から当該照明システムが設けられた戸内の様子を知ることができる。
【０１５３】
請求項３記載の発明は、請求項１記載の照明システムにおいて、前記ゲートウエイサーバは、前記検知情報または動作情報を蓄積して記憶する記憶手段を有し、この記憶手段に前記検知情報または動作情報を蓄積して記憶する時間の間隔を監視し、その間隔が一定時間以上開けば、その旨を自己のリモート側通信手段から外部通信回線経由で外部の通信端末に送信するので、この通信端末に送信された、検知情報または動作情報を蓄積して記憶する時間の間隔が一定時間以上平板旨の情報から、当該照明システムが設けられた戸内の様子を知ることができ、通常は一般的な住宅用の照明システムとして省エネ・高利便性などの機能を果たしつつ、遠隔地から生活者のモニタ（安否確認）を行うことも可能な、従来にない極めて斬新かつ大きな効果が得られる。
【０１５４】
請求項４記載の発明は、請求項１記載の照明システムにおいて、前記ゲートウエイサーバは、前記検知情報または動作情報を蓄積して記憶する記憶手段を有し、この記憶手段に前記検知情報または動作情報を蓄積して記憶する回数を監視し、一定時間内のその回数が所定数を超えた場合、その旨を自己のリモート側通信手段から外部通信回線経由で外部の通信端末に送信するので、この通信端末に送信された上記回数が所定数を超えた旨の情報から、当該照明システムが設けられた戸内の様子を知ることができ、通常は一般的な住宅用の照明システムとして省エネ・高利便性などの機能を果たしつつ、遠隔地から生活者のモニタ（安否確認）を行うことも可能な、従来にない極めて斬新かつ大きな効果が得られる。
【図面の簡単な説明】
【図１】  本発明の第１参考例の照明システムの構成図である。
【図２】  同照明システムにおける照明器具の構成図である。
【図３】  同照明システムにおけるリモコンの構成図である。
【図４】  同照明システムにおけるメインコントローラの構成図である。
【図５】  同照明システムにおけるゲートウエイサーバの構成図である。
【図６】  同照明システム全体の通信系統図である。
【図７】  同照明システムの動作説明図である。
【図８】  異常発生情報の例を示す図である。
【図９】  本発明の第２参考例の照明システムの動作説明図である。
【図１０】  本発明に係る第１実施形態の照明システムの動作説明図である。
【図１１】  安否確認情報の例を示す図である。
【図１２】  別の照明システムの構成図である。
【図１３】  同照明システムにおける照明器具の構成図である。
【図１４】  同照明システムにおける別の照明器具の構成図である。
【図１５】  同照明システムにおけるリモコンの構成図である。
【図１６】  同照明システムにおけるゲートウエイサーバの構成図である。
【図１７】  同照明システム全体の通信系統図である。
【図１８】  別の照明システムの構成図である。
【図１９】  同照明システムにおけるリモコンの構成図である。
【図２０】  同照明システムにおける照明器具の構成図である。
【図２１】  同照明システムにおける別の照明器具の構成図である。
【図２２】  別の照明システムの構成図である。
【図２３】  本発明に係る第２実施形態の照明システムの動作図である。
【図２４】  安否確認情報の例を示す図である。
【図２５】  別の照明システムの構成図である。
【図２６】  同照明システムにおけるメインコントローラの構成図である。
【図２７】  本発明に係る第４実施形態の照明システムにおける端末とゲートウエイサーバとの間の信号のやりとりの説明図である。
【図２８】  本発明に係る第５実施形態の照明システムにおける端末とゲートウエイサーバとの間の信号のやりとりの説明図である。
【図２９】  本発明に係る第６実施形態の照明システムにおける端末とゲートウエイサーバとの間の信号のやりとりの説明図である。
【図３０】  本発明に係る第７実施形態の照明システムにおける端末とゲートウエイサーバとの間の信号のやりとりの説明図である。
【図３１】  本発明に係る第８実施形態の照明システムにおける端末とゲートウエイサーバとの間の信号のやりとりの説明図である。
【符号の説明】
１  照明器具
２  リモコン
３  メインコントローラ
４  ゲートウエイサーバ
５  端末
【図１】
0004013579.tif 000002
【図２】
0004013579.tif 000003
【図３】
0004013579.tif 000004
【図４】
0004013579.tif 000005
【図５】
0004013579.tif 000006
【図６】
0004013579.tif 000007
【図７】
0004013579.tif 000008
【図８】
0004013579.tif 000009
【図９】
0004013579.tif 000010
【図１０】
0004013579.tif 000011
【図１１】
0004013579.tif 000012
【図１２】
0004013579.tif 000013
【図１３】
0004013579.tif 000014
【図１４】
0004013579.tif 000015
【図１５】
0004013579.tif 000016
【図１６】
0004013579.tif 000017
【図１７】
0004013579.tif 000018
【図１８】
0004013579.tif 000019
【図１９】
0004013579.tif 000020
【図２０】
0004013579.tif 000021
【図２１】
0004013579.tif 000022
【図２２】
0004013579.tif 000023
【図２３】
0004013579.tif 000024
【図２４】
0004013579.tif 000025
【図２５】
0004013579.tif 000026
【図２６】
0004013579.tif 000027
【図２７】
0004013579.tif 000028
【図２８】
0004013579.tif 000029
【図２９】
0004013579.tif 000030
【図３０】
0004013579.tif 000031
【図３１】
0004013579.tif 000032